(57)【要約】【課題】記録メディアの記録残容量が少なくなった場合に、ユーザに削除コンテンツ選択画面を表示し、不必要なコンテンツをユーザ自ら選択することで、従来自動で行われていたユーザにとって重要なコンテンツの上書きや、再圧縮による再生品質の低下を回避することを可能とする。【解決手段】記録再生装置は、ディスクＤに記録されているコンテンツ情報と記録残容量を取得するストレージ情報取得手段２０３、設定されている圧縮率を取得する機器情報取得手段２０７、コンテンツ情報と圧縮率に基づき、指定コンテンツの削除或いは上書きによりどの程度の記録延長が可能かを示す記録延長時間を算出する記録可能時間算出手段２０６、ディスクＤの記録残容量が少なくなった場合、算出した記録延長時間を各コンテンツに対応させた画面を表示する表示手段２０１を備える。【選択図】　　　図２
2004023617.tif 000002
【特許請求の範囲】
【請求項１】
記録手段に対し複数の圧縮率でデータを記録可能な記録装置であって、
前記記録手段に記録されているコンテンツに関わるコンテンツ情報と前記記録手段の記録残容量を取得する記録情報取得手段と、設定されている圧縮率を取得する圧縮情報取得手段と、前記記録情報取得手段及び前記圧縮情報取得手段で取得した情報に基づいて記録可能時間を算出する記録可能時間算出手段と、前記記録可能時間算出手段で算出した前記記録可能時間を表示する表示手段とを有することを特徴とする記録装置。
【請求項２】
任意のコンテンツを指定可能な入力手段を有し、前記記録可能時間算出手段は、前記入力手段で指定したコンテンツに対する所定操作によりどの程度の記録が可能かを示す前記記録可能時間を算出し、前記表示手段は、前記記録手段の前記記録残容量が少なくなった場合、前記記録可能時間算出手段で算出した前記記録可能時間を各コンテンツに対応させた画面を表示することを特徴とする請求項１記載の記録装置。
【請求項３】
前記記録可能時間算出手段は、前記入力手段で指定したコンテンツの記録サイズと前記記録手段の記録残容量の和を前記圧縮率で除することで前記記録可能時間を算出することを特徴とする請求項１又は２記載の記録装置。
【請求項４】
前記入力手段で複数のコンテンツを指定した場合に、前記記録可能時間算出手段で算出した前記複数の指定コンテンツに関わる前記記録可能時間の合計を算出する積算手段を有することを特徴とする請求項２又は３記載の記録装置。
【請求項５】
前記入力手段で指定するコンテンツは、前記所定操作としての削除或いは上書き対象とするコンテンツであり、前記記録可能時間算出手段は、前記入力手段で指定したコンテンツの削除或いは上書きによりどの程度の記録が可能かを示す前記記録可能時間を算出することを特徴とする請求項２乃至４の何れかに記載の記録装置。
【請求項６】
前記記録情報取得手段で取得する前記コンテンツ情報とは、記録年月日、記録開始時間、記録時間の長さ、コンテンツの種類、記録サイズの少なくとも何れかを含む情報であることを特徴とする請求項１記載の記録装置。
【請求項７】
前記圧縮情報取得手段で取得する前記圧縮率とは、一定時間の平均圧縮率を含むことを特徴とする請求項１記載の記録装置。
【請求項８】
前記記録装置は、被写体の撮像を行うと共に撮像に基づくデータを記録するものであり、前記記録手段に記録するデータは、動画データであることを特徴とする請求項１乃至７の何れかに記載の記録装置。
【請求項９】
前記記録装置は、被写体の撮像を行うと共に撮像に基づくデータを記録するものであり、前記記録手段に記録するデータは、音声データであることを特徴とする請求項１乃至８の何れかに記載の記録装置。
【請求項１０】
前記請求項１乃至９の何れかに記載の記録装置と、前記記録装置の前記記録手段に記録したデータを再生する再生装置とを備えたことを特徴とする記録再生装置。
【請求項１１】
前記表示手段は、再生時は実際に前記記録手段からデータを再生するときの時間を示す実再生時間を表示し、記録時は指定コンテンツを削除した場合に現在の圧縮率でどの程度の記録が可能かを示す記録可能時間を表示することを特徴とする請求項１０記載の記録再生装置。
【請求項１２】
記録手段に対し複数の圧縮率でデータを記録可能な記録装置における記録可能情報報知方法であって、
前記記録手段に記録されているコンテンツに関わるコンテンツ情報と前記記録手段の記録残容量を取得する記録情報取得工程と、設定されている圧縮率を取得する圧縮情報取得工程と、前記記録情報取得工程及び前記圧縮情報取得工程で取得した情報に基づいて記録可能時間を算出する記録可能時間算出工程と、前記記録可能時間算出工程で算出した前記記録可能時間を表示する表示工程とを有することを特徴とする記録可能情報報知方法。
【請求項１３】
前記記録可能時間算出工程は、指定したコンテンツの削除或いは上書きによりどの程度の記録が可能かを示す前記記録可能時間を算出し、前記表示工程は、前記記録手段の前記記録残容量が少なくなった場合、前記記録可能時間算出工程で算出した前記記録可能時間を各コンテンツに対応させた画面を表示することを特徴とする請求項１２記載の記録可能情報報知方法。
【請求項１４】
コンピュータに、複数の圧縮率でデータを記録可能な記録手段に記録されているコンテンツに関わるコンテンツ情報と前記記録手段の記録残容量を取得する記録情報取得機能と、設定されている圧縮率を取得する圧縮情報取得機能と、前記記録情報取得機能及び前記圧縮情報取得機能で取得した情報に基づいて記録可能時間を算出する記録可能時間算出機能と、前記記録可能時間算出機能で算出した前記記録可能時間を表示する表示機能を実行させるコンピュータ読み取り可能なプログラム。
【請求項１５】
前記記録可能時間算出機能は、指定したコンテンツの削除或いは上書きによりどの程度の記録が可能かを示す前記記録可能時間を算出し、前記表示機能は、前記記録手段の前記記録残容量が少なくなった場合、前記記録可能時間算出機能で算出した前記記録可能時間を各コンテンツに対応させた画面を表示することを特徴とする請求項１４記載のコンピュータ読み取り可能なプログラム。
【請求項１６】
記録手段に対し複数の圧縮率でデータを記録可能な記録装置における記録可能情報報知方法を実行するプログラムを記憶したコンピュータにより読み出し可能な記憶媒体であって、
前記記録可能情報報知方法は、前記記録手段に記録されているコンテンツに関わるコンテンツ情報と前記記録手段の記録残容量を取得する記録情報取得ステップと、設定されている圧縮率を取得する圧縮情報取得ステップと、前記記録情報取得ステップ及び前記圧縮情報取得ステップで取得した情報に基づいて記録可能時間を算出する記録可能時間算出ステップと、前記記録可能時間算出ステップで算出した前記記録可能時間を表示する表示ステップとを有することを特徴とする記憶媒体。
【請求項１７】
前記記録可能時間算出ステップは、指定したコンテンツの削除或いは上書きによりどの程度の記録が可能かを示す前記記録可能時間を算出し、前記表示ステップは、前記記録手段の前記記録残容量が少なくなった場合、前記記録可能時間算出ステップで算出した前記記録可能時間を各コンテンツに対応させた画面を表示することを特徴とする請求項１６記載の記憶媒体。
【請求項１８】
情報データを互いに異なる複数のデータレートにて記録媒体に記録する記録装置であって、
前記情報データの記録データレートを設定する設定手段と、
前記設定手段により設定されたデータレートと前記記録媒体に既に記録されている情報データの情報量とに基づいて記録可能時間を求める検出手段と、
前記記録可能時間を示す記録可能時間情報を表示する表示手段とを備える記録装置。
【請求項１９】
前記情報データの情報量を圧縮する圧縮手段を備え、前記圧縮手段は前記設定手段により設定された記録データレートに基づいて圧縮率を決定することを特徴とする請求項１８記載の記録装置。
【請求項２０】
前記検出手段は更に、前記記録媒体における記録残量情報と前記設定手段により設定された記録データレートとに基づいて残量時間を求め、前記表示手段は更に前記残量時間を示す残量時間情報を表示することを特徴とする請求項１８記載の記録装置。
【請求項２１】
前記表示手段は前記記録可能時間情報と前記残量時間情報とを所定の表示形態にて表示することを特徴とする請求項２０記載の記録装置。
【請求項２２】
前記表示手段は前記記録可能時間と前記残量時間とを加算した残容量を示す残容量情報を表示することを特徴とする請求項２０記載の記録装置。
【請求項２３】
前記検出手段は前記記録媒体に記録されている複数の前記情報データについて、それぞれ前記記録可能時間を求め、前記表示手段は前記複数の情報データの記録可能時間をそれぞれ示す記録可能時間情報を表示することを特徴とする請求項１８記載の記録装置。
【請求項２４】
前記記録媒体より前記情報データを再生する再生手段を備え、前記表示手段は前記記録媒体に記録されている情報データの再生時間を示す再生時間情報を表示する第１の表示モードと、前記記録媒体に記録されている情報データについての前記記録可能時間情報を示す第２の表示モードとを有することを特徴とする請求項１８記載の記録装置。
【請求項２５】
記録モード及び再生モードを設定するモード設定手段を備え、前記表示手段は前記再生モードが設定されている場合には前記第１の表示モードにて表示を行い、前記記録モードが設定されている場合には前記第２の表示モードにて表示を行うことを特徴とする請求項２４記載の記録装置。
【請求項２６】
前記検出手段は前記記録媒体より再生した管理情報に基づいて前記記録媒体に記録されている情報データの情報量を検出することを特徴とする請求項１８記載の記録装置。
【発明の詳細な説明】
【０００１】
【発明の属する技術分野】
本発明は、動画データをランダムアクセス可能な記憶媒体に対し記録／再生するディジタルビデオカメラ等に用いて好適な表示手法に関するもので、特に、記録／再生の各モードにおいて動画データの再生時間や記録残量時間を確認するための表示に好適な記録装置、記録再生装置、記録可能情報報知方法、コンピュータ読み取り可能なプログラム、及び記憶媒体に関する。
【０００２】
【従来の技術】
従来、動画を記録する撮像機器として、光磁気ディスク等のランダムアクセス可能な記憶媒体にディジタル動画データを記録する動画撮像機器（記録再生装置）が実用化されている。また、動画をディジタルデータとして記録する際には、ＡＶＩ（Ａｕｄｉｏ　Ｖｉｓｕａｌ　Ｉｎｔｅｒｌｅａｖｅｄ：米国マイクロソフト社が開発したディジタル動画編集ソフトの動画フォーマット）や、ＭＰＥＧ（Ｍｏｔｉｏｎ　Ｐｉｃｔｕｒｅ　ＥｘｐｅｒｔｓＧｒｏｕｐ：カラー動画像圧縮方式）に代表される動画圧縮方式で圧縮することで、データ量を減らし、動画をより長時間記録できるようにしている。
【０００３】
【発明が解決しようとする課題】
しかしながら、従来の動画撮像機器（記録再生装置）では、記憶媒体（記録メディア）の空き記録容量が残り少なくなってしまったが、あと少しの間記録を続けたいという場合でも、記録メディアを交換することで記録時間の延長を実現するしかなく、記録メディアの交換の間は記録を行うことができないという問題があった。このような問題に対し、記録中に記憶媒体の残りの記録容量が少なくなった場合に、既に記憶媒体に記録されているファイルのうち古いファイルを上書きすることで記録時間を延長する方法や、既存ファイルをより高い圧縮率で再圧縮することで記録残容量を増やす方法が提案されている。
【０００４】
しかし、前記方法では、上書きするファイルや再圧縮するファイルは自動で決定され、ユーザにとって重要なコンテンツを削除／再圧縮してしまう場合があるという問題がある（第１の問題点）。更に、削除／再圧縮するコンテンツをユーザが指定する場合には、指定したコンテンツの記録時間やデータサイズは知ることができるが、コンテンツの記録時の圧縮率と現在記録中の圧縮率が違っていることも考えられ、同一データサイズに記録できる記録可能時間は異なることがある。しかし、どのコンテンツを削除すると、どの程度の記録時間の延長が期待できるかを知る術は無かった。そこで、ユーザがコンテンツを削除する際には、指定コンテンツの実再生時間ではなく現在記録中の圧縮率でどれだけ記録可能時間を延長できるかを知ることが必要であり、その実現が求められている（第２の問題点）。
【０００５】
本発明は、上述した点に鑑みなされたものであり、記録メディアの記録残容量が少なくなった場合に、ユーザに削除コンテンツ選択画面を表示し、不必要なコンテンツをユーザ自ら選択することによって、ユーザにとって重要なコンテンツの上書きや、再圧縮による再生品質の低下を回避することを可能とした記録装置、記録再生装置、記録可能情報報知方法、コンピュータ読み取り可能なプログラム、及び記憶媒体を提供することを第１の目的とする。
【０００６】
また、本発明は、記録／再生各モードに応じてユーザの知りたい情報を適切に表示することを可能とし、ユーザが記録延長したい時間に応じた最適な削除或いは上書き対象コンテンツを選択できることを可能とした記録装置、記録再生装置、記録可能情報報知方法、コンピュータ読み取り可能なプログラム、及び記憶媒体を提供することを第２の目的とする。
【０００７】
【課題を解決するための手段】
上記目的を達成するため、本発明の記録装置は、記録手段に対し複数の圧縮率でデータを記録可能な記録装置であって、前記記録手段に記録されているコンテンツに関わるコンテンツ情報と前記記録手段の記録残容量を取得する記録情報取得手段と、設定されている圧縮率を取得する圧縮情報取得手段と、前記記録情報取得手段及び前記圧縮情報取得手段で取得した情報に基づいて記録可能時間を算出する記録可能時間算出手段と、前記記録可能時間算出手段で算出した前記記録可能時間を表示する表示手段とを有することを特徴とする。
【０００８】
また、本発明の記録再生装置は、前記記録装置と、前記記録装置の前記記録手段に記録したデータを再生する再生装置とを備えたことを特徴とする。
【０００９】
また、本発明の記録可能情報報知方法は、記録手段に対し複数の圧縮率でデータを記録可能な記録装置における記録可能情報報知方法であって、前記記録手段に記録されているコンテンツに関わるコンテンツ情報と前記記録手段の記録残容量を取得する記録情報取得工程と、設定されている圧縮率を取得する圧縮情報取得工程と、前記記録情報取得工程及び前記圧縮情報取得工程で取得した情報に基づいて記録可能時間を算出する記録可能時間算出工程と、前記記録可能時間算出工程で算出した前記記録可能時間を表示する表示工程とを有することを特徴とする。
【００１０】
また、本発明のコンピュータ読み取り可能なプログラムは、コンピュータに、複数の圧縮率でデータを記録可能な記録手段に記録されているコンテンツに関わるコンテンツ情報と前記記録手段の記録残容量を取得する記録情報取得機能と、設定されている圧縮率を取得する圧縮情報取得機能と、前記記録情報取得機能及び前記圧縮情報取得機能で取得した情報に基づいて記録可能時間を算出する記録可能時間算出機能と、前記記録可能時間算出機能で算出した前記記録可能時間を表示する表示機能を実行させるコンピュータ読み取り可能なプログラム。
【００１１】
また、本発明の記憶媒体は、記録手段に対し複数の圧縮率でデータを記録可能な記録装置における記録可能情報報知方法を実行するプログラムを記憶したコンピュータにより読み出し可能な記憶媒体であって、前記記録可能情報報知方法は、前記記録手段に記録されているコンテンツに関わるコンテンツ情報と前記記録手段の記録残容量を取得する記録情報取得ステップと、設定されている圧縮率を取得する圧縮情報取得ステップと、前記記録情報取得ステップ及び前記圧縮情報取得ステップで取得した情報に基づいて記録可能時間を算出する記録可能時間算出ステップと、前記記録可能時間算出ステップで算出した前記記録可能時間を表示する表示ステップとを有することを特徴とする。
【００１２】
また、本発明の記録装置は、情報データを互いに異なる複数のデータレートにて記録媒体に記録する記録装置であって、前記情報データの記録データレートを設定する設定手段と、前記設定手段により設定されたデータレートと前記記録媒体に既に記録されている情報データの情報量とに基づいて記録可能時間を求める検出手段と、前記記録可能時間を示す記録可能時間情報を表示する表示手段とを備えることを特徴とする。
【００１３】
【発明の実施の形態】
先ず、本発明の実施の形態の概要を説明する。ランダムアクセス可能な記録メディアにディジタルデータを記録するような機器においては、記録中に既存コンテンツを削除するといったランダムアクセスメディア特有の操作が可能である。そこで、本発明の実施の形態では、記録動作中に記録メディアの記録残容量が少なくなった場合はユーザにその旨を通知し、適切なコンテンツを削除或いは上書きするための削除コンテンツ選択画面を表示し、ユーザ自身がその場で不必要なコンテンツを選択して削除或いは上書きすることで記録残容量を増やし、更なる連続記録を可能にするものである（従来技術の第１の問題点の解決）。また、適切なコンテンツを選択する基準としての記録中の圧縮率と指定コンテンツの記録サイズを基に指定コンテンツを削除或いは上書きした場合に、どの程度の記録時間の延長が期待できるかを表示するものである（従来技術の第２の問題点の解決）。以下、本発明の実施の形態を図面に基づいて詳細に説明する。
【００１４】
＜記録再生装置の外観構造＞
図１（ａ）は本発明の実施の形態に係る記録再生装置の外観を示す一例であり、記録再生装置を保持するためのグリップ側から見た斜視図である。図１（ｂ）は同様に記録再生装置の外観を示す一例であり、記録再生装置の側面に取り付けられたＬＣＤユニット側から見た斜視図である。記録再生装置は、記録再生装置本体１０１の各部に、ズームスイッチ１０２、レンズユニット１０３、ビューファインダ１０５、モードダイアル１０７、ＬＣＤユニット１１１等を備えている。
【００１５】
ズームスイッチ１０２は、該スイッチを図中Ｗ側に移動させることでワイド撮影（広角撮影）を行い、該スイッチを図中Ｔ側に移動させることでテレ撮影（望遠撮影）を行うためのスイッチである。レンズユニット１０３は、撮影時に被写体像を取り込む。リストストラップ１０４は、ベルトにより記録再生装置を保持する手の甲を押さえるように設計されている。ビューファインダ１０５は、小型ＬＣＤと拡大用レンズを内蔵しており、ユーザが該ビューファインダ１０５に目を近づけることによって撮影画面を確認することができる。
【００１６】
モードダイアル１０７は、撮影モードを切り換える操作スイッチを構成するものであり、図１（ａ）、（ｂ）において右方向へ突出した柄の部分を回転させることにより、電源ＯＦＦ、ＶＴＲ、ＣＡＭＥＲＡ、ＰＨＯＴＯ、ＰＲＯＧＲＥＳＳＩＶ　ＳＣＡＮ（プログレッシブスキャン）の合計５つのモードへ切り換えることができる。ここで、ＰＨＯＴＯモードとは、スチル映像（静止画）を記録するモードであり、静止画を記録メディア（図７のディスクＤ）へ記録するモードである。電源ＯＦＦモードとは、記録再生装置の電源を切断するモードである。ＶＴＲモードとは、動画像の記録／再生を行うモードである。ＣＡＭＥＲＡモードとは、イメージセンサ（図示略）を２ラインずつ読み出す通常カメラ（動画）モードである。ＰＲＯＧＲＥＳＳＩＶ　ＳＣＡＮモードとは、イメージセンサ（図示略）を１ラインづつ読み出すモードである。
【００１７】
モードダイアル１０７をＰＲＯＧＲＥＳＳＩＶ　ＳＣＡＮモードに設定することにより、上述した、イメージセンサを２ラインずつ読み出す通常カメラ（動画）モードから１ラインづつ読み出すモードに設定することができ、動画におけるそれぞれのフレームを高画質で録画することが可能となる。従って、ＰＲＯＧＲＥＳＳＩＶ　ＳＣＡＮモードは、主に動画１フレーム画を高画質の静止画として切り出すときに使用される。
【００１８】
ポジションロックツマミ１０６は、モードダイアル１０７の設定をロックするためのツマミである。スタート／ストップボタン１０８は、録画の開始／停止を行うためのボタンである。アンロックツマミ（アンロック部材）１０９は、モードダイアル１０７のロックを解除するためのツマミである。モードダイアルベース１１０は、モードダイアル１０７を記録再生装置本体１０１に固定する基部となる部材である。ＬＣＤユニット１１１は、映像を大きな画面で確認するための表示部である。十字ボタン１１２は、ユーザの操作を快適にするためのボタンであり、左右上下の任意の個所を押下可能である。ＹＥＳボタン１１３は、意思決定（ユーザの操作を決定）のためのボタンである。
【００１９】
＜記録再生装置の構成及び記録再生動作＞
次に、本実施の形態に係る記録再生装置の構成及び基本的な記録再生動作について説明する。図７は記録再生装置の構成を示すブロック図である。記録再生装置は、撮像部１１０１、信号処理回路１１０２、記録再生回路１１０３、制御部１１０４、操作部１１０５、表示部１１０６、ディスクＤを備えている。
【００２０】
撮像部１１０１は、上記レンズユニット１０３、イメージセンサ（図示略）を含むものであり、被写体の撮像を行う。信号処理回路１１０２は、撮像部１１０１からの動画像信号を周知のＭＰＥＧなどの規格に従い符号化し、その情報量を圧縮するなどの処理を行う。記録再生回路１１０３は、符号化された動画像データに対して記録モード、Ｄファイルサイズ、記録日時などの情報を含むヘッダなどの付加情報を付加しディスクＤに記録する、或いはディスクＤに記録された画像データを再生する処理を行う。尚、本発明ではディスクＤに記録するデータは動画データ、音声データの何れでもよい。
【００２１】
制御部１１０４は、信号処理回路１１０２による圧縮動作、記録再生回路１１０３による記録／再生動作、表示部１１０６による表示動作を制御すると共に、プログラムに基づき後述の図６のフローチャートに示す処理を実行する。操作部１１０５は、上記図１のズームスイッチ１０２、モードダイアル１０７、スタート／ストップボタン１０８、十字ボタン１１２、ＹＥＳボタン１１３等を含むものであり、ユーザが各種設定・操作を行う際に操作する。表示部１１０６は、上記図１のＬＣＤユニット１１１を含むものであり、撮像部１１０１で撮像した動画像、再生ファイル表示画面（図３参照）、削除コンテンツ選択画面（図４参照）等を表示する。ディスクＤは、記録再生回路１１０３により画像データの記録／再生が行われる記録メディアである。
【００２２】
まず、記録再生装置における記録時の処理について説明する。操作部１１０５により記録モードが設定されると、撮像部１１０１から出力された動画像信号は信号処理回路１１０２に入力され、表示部１１０６（図１のＬＣＤユニット１１１を含む）に表示される。ここで、操作部１１０５により動画記録開始の指示があると、制御部１１０４は信号処理回路１１０２を制御し、撮像部１１０１から出力される動画像信号を周知のＭＰＥＧなどの規格に従い符号化し、その情報量を圧縮する。本実施の形態では、記録時の目標データレートが異なる複数の記録モードを備えており、ユーザは操作部１１０５を操作することにより、これら複数の記録モードのうちのいずれかのモードを設定することができる。例えば、本実施の形態では、目標データレートが１２Ｍｂｐｓ、６Ｍｐｂｓ、３Ｍｂｐｓの三つの記録モードを有する。
【００２３】
制御部１１０４は操作部１１０５により設定された記録モードに応じて、信号処理回路１１０２による符号化時の圧縮率を変更する。また、信号処理回路１１０２は上記動画像信号中の所定のフレーム、例えば先頭の１フレームを抽出し、そのサイズを縮小してサムネイル画像データを生成し、記録再生回路１１０３に送る。信号処理回路１１０２により符号化された動画像データ列は、記録再生回路１１０３に送られる。記録再生回路１１０３は符号化された動画像データに対して記録モードやファイルサイズ、記録日時などの情報を含むヘッダなどの付加情報を付加し、ディスクＤに記録する。このとき、記録再生回路１１０３はサムネイル画像データもヘッダに格納する。
【００２４】
また、記録再生回路１１０３はディスクＤに対してＴＯＣと呼ばれるディスクＤ上の記録データに関する管理情報をディスクＤより再生して制御部１１０４に出力する。制御部１１０４はこの管理情報に基づいて、ディスクＤ上に記録されているファイルの様子やディスク空き容量などを検出することができる。この状態で記録停止の指示があると、制御部１１０４は信号処理回路１１０２及び記録再生回路１１０３に対して記録停止の指示を出す。記録再生回路１１０３は記録停止の指示に応じてフッタなどの付加情報を動画データに付加し、記録開始から記録停止までの動画像データ列を一つのファイルとして記録を終了する。
【００２５】
また、本実施の形態の記録再生装置は静止画記録モードも備えている。即ち、表示部１１０６に撮像部１１０１からの動画像を表示している状態で、操作部１１０５により静止画記録の指示があると、制御部１１０４は信号処理回路１１０２に指示を出し、そのときに入力されていた１フレームの画像信号を抽出して内部メモリに記憶する。信号処理回路１１０２はこの１フレームの画像信号をＪＰＥＧ（Ｊｏｉｎｔ　Ｐｈｏｔｏｇｒａｐｈｉｃ　Ｅｘｐｅｒｔｓ　Ｇｒｏｕｐ）などの符号化方法により符号化し、記録再生回路１１０３に出力する。また、信号処理回路１１０２はこの静止画像データのサムネイル画像データも同時に生成する。記録再生回路１１０３はこの符号化された静止画像データに対してサムネイル画像データを含む付加情報を付加し、ディスクＤに記録する。
【００２６】
次に、記録再生装置における再生時の処理について説明する。操作部１１０５により再生モードを設定すると、制御部１１０４は記録再生回路１１０３を制御し、ディスクＤに記録されているファイルのサムネイル画像を再生するよう指示する。記録再生回路１１０２により再生されたサムネイル画像データは信号処理回路１１０２に送られる。信号処理回路１１０２はこのサムネイル画像データを用いてサムネイル一覧画面を生成し、表示部１１０６に表示する。
【００２７】
ユーザはこのサムネイル一覧画面を確認して所望のファイルの対応したサムネイル画像を操作部１１０５により選択する。制御部１１０４は選択されたサムネイル画像に対応したファイルを再生するよう記録再生回路１１０３及び信号処理回路１１０２を制御する。記録再生回路１１０３は指定されたファイルをディスクＤより再生し、信号処理回路１１０２に出力する。信号処理回路１１０２は再生された画像データ列を復号し、表示部１１０６に表示する。
【００２８】
尚、後述の図３、図４のメニュー表示は、上述したような記録モードにおける記録ポーズ時、或いは再生モードにおいて、ユーザから指示があった際に制御部１１０４により表示部１１０６の表示画面の生成が行われる。
【００２９】
＜記録再生装置の要部の構成＞
図２は本実施の形態に係る記録再生装置の要部の構成を示す概略的ブロック図である。記録再生装置は、表示手段２０１、表示データ生成手段２０２、ストレージ情報取得手段２０３、ユーザインターフェイス２０４、ユーザ入力判断手段２０５、記録可能時間算出手段２０６、機器情報取得手段２０７、積算手段２０８を備えている。表示データ生成手段２０２、ストレージ情報取得手段２０３、ユーザ入力判断手段２０５、記録可能時間算出手段２０６、機器情報取得手段２０７、積算手段２０８は、図７の制御部１１０４及び制御部１１０４により実行されるプログラムの機能に相当する。
【００３０】
ユーザインターフェイス２０４は、ユーザの操作を記録再生装置に伝えるものであり、記録再生装置本体やリモコンの操作ボタンなどのハードキー、またタッチパネルなどのポインティングデバイスで操作するＧＵＩ（グラフィカル・ユーザ・インターフェイス）がある。ユーザ入力判断手段２０５は、現在の記録再生装置の状態からユーザの入力の意図を判断し、記録再生装置の動作を起こすものである。例えば、記録モード中にユーザがメニュー表示操作を行うと記録メニューを表示手段２０１に表示し、再生モード中にユーザがメニュー表示操作を行うと再生メニューを表示手段２０１に表示するといった具合である。
【００３１】
記録可能時間算出手段２０６は、ユーザが選択したコンテンツを削除した場合に、現在の記録再生装置の圧縮率で、どの程度の記録時間延長が期待できるかを計算する。この場合、コンテンツの削除に限定されず、コンテンツの上書きでもよい。また、記録可能時間算出手段２０６は、記録動作中に記録メディア（ストレージ、ディスクＤ）の記録可能領域の記録残容量をストレージ情報取得手段２０３で検出し、現在の圧縮率で、あとどの程度の記録が可能かを常に算出しており、残記録可能時間が残り少なくなった場合（所定の時間よりも少なくなった場合）は表示データ生成手段２０２に通知し、残記録可能時間が残り少ないことをユーザに通知する機能も備えている。機器情報取得手段２０７は、現在設定されている圧縮率を取得する。
【００３２】
ストレージ情報取得手段２０３は、記録メディア（ストレージ、ディスクＤ）から各コンテンツのコンテンツ情報（記録サイズ、記録時間長、記録時の圧縮率等）や記録残容量を取得するものである。このコンテンツ情報は前述のＴＯＣ情報により得られる。記録可能時間算出手段２０６では、上記圧縮率と上記コンテンツ情報や記録残容量から記録可能時間を算出する。積算手段２０８は、記録可能時間算出手段２０６で算出した複数の指定コンテンツの記録可能時間の和（合計）を求める。即ち、削除対象として指定された複数のコンテンツの記録延長時間の総計である総記録延長時間を求め、残りの記録可能時間とこのコンテンツ削除による記録延長時間との和を求める。積算手段２０８で求めた前記時間が残記録可能時間としてＬＣＤユニット（表示パネル）１１１に表示される。
【００３３】
表示データ生成手段２０２は、積算手段２０８における計算結果、つまり記録可能時間算出手段２０６の算出結果の総和をユーザに通知するために、ＬＣＤユニット１１１に表示するための表示画面データを生成する。表示データ生成手段２０２で生成した表示データを、表示手段２０１においてＬＣＤユニット１１１に反映させることによって、表示内容が更新される。
【００３４】
＜再生ファイル表示画面＞
次に、上記図１、図２、図７に示した記録再生装置において再生動作中の再生ファイル表示画面について説明する。図３は記録再生装置のＬＣＤユニット１１１に表示される再生動作中の再生ファイル表示画面を示す図である。図３において、３０１〜３０６は、ファイルを特定するための記録日時（撮影日時）とファイルの種類の表示である。また、３０７〜３１２は、各ファイルの実再生時間であり、実際にそのファイルを再生したときの再生時間を示している。ｊｐｇファイル３０４、３０６の再生時間が表示されていないのは、そのファイルが静止画であることを意味する。また、記録再生装置本体の十字ボタン１１２の上下を押下することで、選択ファイルのフォーカス（現在は３０１が選択されている状態）が上下に移動し、再生すべきファイルを選択することができる。
【００３５】
また、十字ボタン１１２の左右を押下することで、ＯＫボタン３１４とＣＡＮＣＥＬボタン３１５とを往復し、再生意思決定の場合は、ＯＫボタン３１４にフォーカスがある状態でＹＥＳボタン１１３を押下する。すると、選択したコンテンツを再生してＬＣＤユニット１１１に全画面再生する。また、再生の意思が無い場合は、ＣＡＮＣＥＬボタン３１５にフォーカスがある状態でＹＥＳボタン１１３を押下すると、再生の意思なしと判断し、再生ファイル表示画面を抜ける。また、静止画を再生する場合は、再生時間は記録再生装置固有の決められた時間だけ静止画を一定時間全画面再生し、一定時間の再生が終われば再生ファイル表示画面に復帰する。
【００３６】
＜削除コンテンツ選択画面＞
続いて、図１、図２、図７に示した記録再生装置における記録動作中に記録容量が残りわずかになった場合における記録容量の確保の方法を説明する。本実施の形態の記録再生装置において、記録容量が残り少なくなった場合は、ビューファインダ１０５に撮影中の画像を表示し、ＬＣＤユニット１１１には図４に示す削除コンテンツ選択画面を表示して、ユーザに削除するコンテンツの選択を要求する。
【００３７】
ここで、図４に示す削除コンテンツ選択画面について説明する。図４において、撮影年月日／時刻／種類４０１〜４０６は、コンテンツを特定するための情報であり、撮影日時を表示することで、いつ撮像したコンテンツかをユーザに分かりやすく表示するものである。また、記録延長時間４０７〜４１２は、各コンテンツを削除した場合に、現在の記録再生装置に設定されている圧縮率でどの程度の記録延長が期待できるかを示す情報である。つまり、そのコンテンツのデータサイズでは、現在の圧縮率で何時間何分何秒記録可能であるかを示している。ＯＫボタン４１４、ＣＡＮＣＥＬボタン４１５は、ユーザが削除コンテンツを選択した際の最終意思決定を行うもので、十字ボタン１１２の左右を押下することで、ＯＫボタン４１４とＣＡＮＣＥＬボタン４１５と何も選択されていない状態を繰り返す。
【００３８】
指定コンテンツを削除して残記録時間を増やす場合は、削除したいコンテンツを指定した後、十字ボタン１１２の左右を押下し、ＯＫボタン４１４にフォーカスを持っていきＹＥＳボタン１１３を押下する。また、コンテンツの削除による記録時間の延長を行わない場合は、ＣＡＮＣＥＬボタン４１５にフォーカスを持っていきＹＥＳボタン１１３を押下する。ＯＫボタン４１４／ＣＡＮＣＥＬボタン４１５のどちらも選択されていない状態で、フォーカス（図中４０５を囲んでいる太線の枠）を上下ボタンで選択したいコンテンツ上に持っていき、ＹＥＳボタン１１３を押下すると、複数のコンテンツが選択可能である（図中４０１と４０５）。
【００３９】
選択されている状態のコンテンツに再びフォーカスを持っていきＹＥＳボタン１１３を押下すると、非選択状態に戻すことができる。複数のコンテンツが選択されている状態で、ＯＫボタン４１４を選択してＹＥＳボタン１１３を押下すると、複数のコンテンツを一度に削除して、一度の操作で長時間の記録時間延長が可能である。また、４１３の時間表示には、選択の時間的余裕を通知するための記録残容量からなる記録可能時間と、指定コンテンツと記録残容量からなる残記録可能見込み時間を一定時間おきに交互に表示する。
【００４０】
ここで、図３及び図４における再生時と記録時の表示で、時間が異なるコンテンツ（３０８と４０８、３０９と４０９）が存在するのは、それぞれのコンテンツを記録したときの圧縮率が現在の設定と違うからである。例えば、２００１．０１．０１／１２：００／ｍｐｇ（動画コンテンツ）３０８は記録時にデータレート（圧縮率）１２Ｍｂｐｓで記録したが、現在設定されている記録データレート（圧縮率）は６Ｍｂｐｓであり、３０８の記録時の圧縮率より現在の圧縮率のほうが高いので、同一のデータサイズでもより長い時間の記録延長が期待できることを意味している。また、３１０と４１０、３１２と４１２においては、静止画なので、再生中の表示の再生時間は機器依存の一定時間であるが、記録時は、静止画のデータ容量でどれだけの動画記録時間の延長が期待できるかを表示してある。４１０と４１２の記録延長時間の違いは、画角や記録画質の違いからくるデータサイズの差によるものである。
【００４１】
＜コンテンツ情報＞
次に、記録再生装置の機器情報取得手段２０７で取得できる機器情報について説明する。機器情報取得手段２０７で取得する記録パラメータは現在設定されている記録データレート（圧縮率）である。続いて、ストレージ情報取得手段２０３で取得できるストレージ情報について説明する。ストレージ情報取得手段２０３で取得できる情報は２種類ある。取得できる情報の一つは、ストレージ（ディスクＤ）に記録されている個々のコンテンツ情報であり、取得できる情報のもう一つは、ストレージのどの領域が記録可能領域であるかというストレージ全体の情報である。
【００４２】
図５はコンテンツ情報の構造を示す図である。コンテンツ情報は大きく分けて、記録メディア（ディスクＤ）への記録時の情報から取得できる記録年月日５０１、記録開始時間５０２、記録時間長５０３、記録されているコンテンツ自体から読み取るコンテンツ（ファイル）の種類５０４、記録サイズ５０５から構成される。記録年月日５０１と記録開始時間５０２とファイルの種類５０４は、コンテンツの表示に使用し、記録サイズ５０５は、記録／再生時間の算出に使用し、記録時間長５０３は、再生ファイル選択画面の表示に使用する。また、ストレージ全体の情報から、ストレージの未記録領域の総和を取得することができる。
【００４３】
＜削除コンテンツ選択画面内の記録延長時間算出方法＞
続いて、記録再生装置における記録中に記録メディア（ディスクＤ）の残容量が少なくなった場合に表示される削除コンテンツ選択画面（図４）内の記録延長時間の算出方法を図６のフローチャートを参照しながら説明する。本フローチャートは、記録再生装置の制御部１１０４がプログラムに基づき、表示手段２０１、表示データ生成手段２０２、ストレージ情報取得手段２０３、ユーザインターフェイス２０４、ユーザ入力判断手段２０５、記録可能時間算出手段２０６、機器情報取得手段２０７、積算手段２０８を制御することで実行する。
【００４４】
ステップＳ６０１において、制御部１１０４は表示制御を開始する（表示開始点）。次に、ステップＳ６０２において、制御部１１０４はユーザインターフェイス２０４を介し削除コンテンツ選択画面の表示命令があったと判断すると、まず、現在設定されている記録データレート（圧縮率）の情報を機器情報取得手段２０７により取得する。続いて、ステップＳ６０３において、制御部１１０４は記録サイズや記録時間長、記録時の圧縮率等のコンテンツ情報をストレージ情報取得手段２０３により取得する。次に、ステップＳ６０４において、制御部１１０４は上記ステップＳ６０３で取得した前記コンテンツ情報から、削除対象コンテンツの記録サイズを抽出する。
【００４５】
続いて、ステップＳ６０５において、制御部１１０４は上記ステップＳ６０４で抽出した削除対象コンテンツの記録サイズと上記ステップＳ６０２で取得した圧縮率に基づき、どの程度の記録延長が可能かを示す記録延長時間（コンテンツ削除で生ずる記録延長が可能な時間）を記録可能時間算出手段２０６により算出する。記録延長時間の算出方法としては、下記の式、
記録サイズ／圧縮率
で算出することができる。例えば、現在の圧縮率が６Ｍｂｐｓで指定コンテンツ（削除対象コンテンツ）の記録サイズが５Ｇｂｉｔ（Ｇｉｇａ　ｂｉｔ）であった場合は、
５×１０００Ｍｂ／６Ｍｂｐｓ＝８３３．３３ｓ
と算出することができる。即ち、８３３．３秒≒１３分５３秒、という具合である。また、この圧縮率は固定ビットレートでも可変ビットレートでも良いが、可変ビットレートの場合は、一定時間の平均圧縮率で算出を行う。
【００４６】
尚、コンテンツの削除或いは上書きにより、あとどの程度の記録が可能かを示す記録可能時間を算出する場合は、記録メディア（ディスクＤ）における、コンテンツの削除或いは上書きにより増加する記録容量と、それ以外の残りの記録容量である記録残容量とを加味し、削除或いは上書き対象コンテンツの記録サイズと記録メディア（ディスクＤ）の記録残容量の和を圧縮率で除することで記録可能時間（コンテンツ削除或いは上書きで生ずる記録延長が可能な時間と、記録残容量に相当する記録が可能な時間との合計）を算出する。
【００４７】
次に、ステップＳ６０６において、制御部１１０４は表示データを表示データ生成手段２０２により生成する。この生成する表示データは、実際に表示手段２０１でＬＣＤユニット１１１に表示を行うための表示用データである。ＬＣＤユニット１１１の表示画面に表示する記録延長時間は、上記ステップＳ６０５で算出した各コンテンツの記録可能時間である。次に、ステップＳ６０７において、制御部１１０４はＬＣＤユニット１１１に表示すべき全てのコンテンツに対して、記録延長時間の算出が終了したか否かをチェックする。
【００４８】
ここで、まだ表示すべきコンテンツで記録延長時間の算出が終わってないコンテンツが存在した場合は、上記ステップＳ６０３へ遷移する。表示すべきコンテンツ全ての記録延長時間を算出し終えた場合は、ステップＳ６０８へ遷移する。ステップＳ６０８では、制御部１１０４は表示手段２０１によりＬＣＤユニット１１１を操作し、表示データ生成手段２０２で生成した表示データをＬＣＤユニット１１１の液晶画面に表示する。ステップＳ６０９で、制御部１１０４は上記表示制御を終了する（表示終了点）。
【００４９】
以上の処理を、記録メディア（ディスクＤ）の記録可能領域が残り少なくなった場合にＬＣＤユニット１１１に表示する図４の削除コンテンツ選択画面の記録延長時間を算出する際に行うことによって、どのコンテンツを削除或いは上書きするとどの程度の記録時間延長が期待できるかを、ユーザに対しＬＣＤユニット１１１の表示により明確に報知することができるので、ユーザが記録時間延長のために削除或いは上書きするコンテンツを選択する際に大いに役に立てることができる。
【００５０】
以上説明したように、本実施の形態によれば、記録再生装置は、ディスクＤに記録されているコンテンツに関わるコンテンツ情報と記録残容量を取得するストレージ情報取得手段２０３、設定されている圧縮率を取得する機器情報取得手段２０７、コンテンツ情報と圧縮率に基づき、指定コンテンツの削除或いは上書きによりどの程度の記録延長が可能かを示す記録延長時間を算出する記録可能時間算出手段２０６、ディスクＤの記録残容量が少なくなった場合、算出した記録延長時間を各コンテンツに対応させた画面を表示する表示手段２０１を備える。これにより、ディスクＤの記録残容量が少なくなった場合に、ユーザに対しＬＣＤユニット１１１により削除コンテンツ選択画面を表示し、不必要なコンテンツをユーザ自ら選択することによって、従来自動で行われていたユーザにとって重要なコンテンツの上書きや、再圧縮による再生品質の低下を回避することができる（従来技術の第１の問題点の解決）という効果がある。
【００５１】
また、同じコンテンツでありながら再生中は実再生時間を表示し、記録中は現在記録中の圧縮率から、指定コンテンツを削除或いは上書きするとどの程度記録時間が延長されるかを表示することで、記録／再生の各モードに応じてユーザの知りたい情報を適切に表示することができ、ユーザが記録延長したい時間に応じた最適な削除或いは上書き対象コンテンツを選択することができる（従来技術の第２の問題点の解決）という効果がある。
【００５２】
［他の実施の形態］
なお、本実施の形態においては、削除コンテンツ選択画面でのコンテンツの表示をリスト形式とした場合を説明したが、本発明において重要なのは、再生モードと記録モードにおいて表示する各コンテンツの時間の意味を、再生時は実再生時間、記録時は指定コンテンツを削除した場合の現在の圧縮率で可能な記録延長時間とすることで、記録／再生の各モードにおいてユーザが知りたい時間情報を適切に表示することにある。よって、コンテンツ表示の表現方法にサムネイル形式やグラフ形式、ツリー構造などを採用しても何ら問題はない。
【００５３】
また、本実施の形態においては、上述したような記録再生装置のコンテンツ表示に関わる詳細を説明してきたが、本発明の表示方法は、ディスクビデオレコーダ等のランダムアクセス可能な記録メディアに記録可能な記録再生装置であり、記録の際に既存のコンテンツを削除して記録容量を確保できる記録再生装置であれば、いかなる記録再生装置にでも適用することができる。
【００５４】
また、本実施の形態においては、図４の削除コンテンツ選択画面における各コンテンツを特定するための情報と記録延長時間との対応関係に基づき、削除対象のコンテンツを選択する場合を説明したが、図４の削除コンテンツ選択画面で上書き対象のコンテンツを選択できるようにしてもよい。
【００５５】
また、本実施の形態においては、図４の削除コンテンツ選択画面で記録延長時間（コンテンツ削除或いは上書きで生ずる記録延長が可能な時間）を表示する場合を説明したが、記録可能時間（コンテンツ削除或いは上書きで生ずる記録延長が可能な時間と、記録残容量に相当する記録が可能な時間との合計）を表示する表示方法、もしくは前記記録延長時間と前記記録可能時間を同時に表示する表示方法としてもよい。
【００５６】
また、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００５７】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００５８】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００５９】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【００６０】
【発明の効果】
以上説明したように、本発明によれば、記録手段に記録されているコンテンツに関わるコンテンツ情報、記記録手段の記録残容量、設定されている圧縮率に基づいて、指定コンテンツの削除或いは上書きによりどの程度の記録が可能かを示す記録可能時間を算出し、記録手段の記録残容量が少なくなった場合、算出した記録可能時間を各コンテンツに対応させた画面を表示するため、記録メディアの記録残容量が少なくなった場合に、ユーザに削除コンテンツ選択画面を表示し、不必要なコンテンツをユーザ自ら選択することによって、従来自動で行われていたユーザにとって重要なコンテンツの上書きや、再圧縮による再生品質の低下を回避することができるという効果がある。
【００６１】
また、同じコンテンツでありながら再生中は実再生時間を表示し、記録中は現在記録中の圧縮率から、指定コンテンツを削除或いは上書きするとどの程度記録時間が延長されるかを表示することで、記録／再生各モードに応じてユーザの知りたい情報を適切に表示することができ、ユーザが記録延長したい時間に応じた最適な削除或いは上書き対象コンテンツを選択することができるという効果がある。
【図面の簡単な説明】
【図１】本発明の実施の形態に係る記録再生装置の外観を示す図であり、（ａ）は記録再生装置を保持するためのグリップ側から見た斜視図である。（ｂ）は記録再生装置の側面に取り付けられたＬＣＤユニット側から見た斜視図である。
【図２】本実施の形態に係る記録再生装置の要部の構成を示す概略的ブロック図である。
【図３】本実施の形態に係る記録再生装置における再生動作中の再生ファイル表示画面を示す図である。
【図４】本実施の形態に係る記録再生装置における削除コンテンツ選択画面を示す図である。
【図５】本実施の形態に係る記録再生装置におけるコンテンツ情報の構造を示す図である。
【図６】本実施の形態に係る記録再生装置における記録中にディスクの残容量が少なくなった場合に表示される削除コンテンツ選択画面内の記録延長時間の算出方法を示すフローチャートである。
【図７】本実施の形態に係る記録再生装置の構成を示すブロック図である。
【符号の説明】
１０１　記録再生装置本体（記録装置、再生装置、記録再生装置）
２０１　表示手段（表示手段）
２０２　表示データ生成手段
２０３　ストレージ情報取得手段（記録情報取得手段）
２０４　ユーザインターフェイス（入力手段）
２０５　ユーザ入力判断手段（入力手段）
２０６　記録可能時間算出手段（記録可能時間算出手段、検出手段）
２０７　機器情報取得手段（圧縮情報取得手段）
２０８　積算手段（積算手段）
１１０１　撮像部
１１０２　信号処理回路
１１０３　記録再生回路
１１０４　制御部
１１０５　操作部
１１０６　表示部
Ｄ　　ディスク（記録手段）
【図１】
2004023617.tif 000003
【図２】
2004023617.tif 000004
【図３】
2004023617.tif 000005
【図４】
2004023617.tif 000006
【図５】
2004023617.tif 000007
【図６】
2004023617.tif 000008
【図７】
2004023617.tif 000009